(57)【要約】【課題】炊飯時、保温時の熱ロスを小さくできて消費エネルギーを抑制でき、かつ内釜の取り出しが容易で、清掃がし易い炊飯器を提供する。【解決手段】上部に開口部６ａを有する内ケース６を備えた本体１と、内ケース６の開口部６ａの周縁部に載置されるフランジ７ａを有しこの内ケース６に出し入れ自在に収納される内釜７と、内ケース６の開口部６ａの周縁部に装着されて内釜７のフランジ７ａの下面をシールするシールユニット２０とを備え、シールユニット２０は、内釜７のフランジ７ａの下面に当接する熱絶縁性を有するリング状の弾性部材２１と、弾性部材２１を固定する保持リング２２，２３とを備え、保持リング２２，２３には、リング中心を挟む対称となる位置に、それぞれ外周面から径方向内方へ凹陥する少なくとも一対の切欠き４１，４２を設ける。【選択図】図６
2015008826.tif 000002
【特許請求の範囲】
【請求項１】
上部に開口部を有する内ケースを備えた本体と、
前記内ケースの前記開口部の周縁部に載置されるフランジを有し該内ケースに出し入れ自在に収納される内釜と、
前記内ケースの前記開口部の前記周縁部に装着されて前記内釜の前記フランジの下面をシールするシールユニットとを備え、
前記シールユニットは、
前記内釜の前記フランジの下面に当接する熱絶縁性を有するリング状の弾性部材と、
前記弾性部材を固定する保持リングとを備え、
前記保持リングには、リング中心を挟む対称となる位置に、それぞれ外周面から径方向内方へ凹陥する少なくとも一対の切欠きが設けられていることを特徴とする炊飯器。
【請求項２】
前記本体には、ヒンジ機構部を介して蓋体が取り付けられており、
前記一対の切欠きは、前記シールユニットの前記リング中心を通り前記ヒンジ機構部の軸線と平行となる仮想線上に、対称となるように配置されていることを特徴とする請求項１に記載の炊飯器。
【請求項３】
前記保持リングの前記ヒンジ機構部と正対する部位の外周面が、それぞれ径方向内方に突状に湾曲する湾曲面として形成されていることを特徴とする請求項２に記載の炊飯器。
【請求項４】
前記弾性部材は、前記内釜の前記フランジの下面に当接するリング状の基部と、該リング状の基部から外向きに張り出す張出部とを有し、
前記保持リングは、第一の保持リングと第二の保持リングからなり、
前記第一の保持リングと前記第二の保持リングとは、前記弾性部材の前記張出部を上下から挟み固定していることを特徴とする請求項１〜３のいずれか一項に記載の炊飯器。
【請求項５】
前記張出部を下方から挟む前記第二の保持リングは、高さの異なるものが複数種用意され、前記内釜の前記フランジの厚さに応じて選択的に使用されることを特徴とする請求項４に記載の炊飯器。
【請求項６】
高さの異なる前記第二の保持リング毎、又は高さの異なる前記第二の保持リングを有する前記シールユニット毎に、色を異ならせたことを特徴とする請求項５に記載の炊飯器。
【請求項７】
前記張出部を下方から挟む前記第二の保持リングは、前記内ケースの前記開口部の内部空間に臨む内周壁を有し、該内周壁の内面の周方向複数個所には、内釜心出し用の突部が設けられていることを特徴とする請求項４〜６のいずれか一項に記載の炊飯器。
【請求項８】
前記弾性部材を、前記内釜の前記フランジの下面に全周に亘って密着させたことを特徴とする請求項１〜７のいずれか一項に記載の炊飯器。
【発明の詳細な説明】
【技術分野】
【０００１】
本発明は、内釜とこれを収容する本体の内ケースとの間の隙間から外部への放熱を阻止でき、かつ本体の内ケースへの内釜の出し入れ、及び清掃を容易とすることができるシールユニットを備えた炊飯器に関する。
【背景技術】
【０００２】
一般に炊飯器は、内釜のフランジ部が、本体の内ケースの開口部の周縁部に載置される構造となっている。したがって、内釜とこれを収容する本体の内ケースとの間には、隙間が存在する。この隙間には、炊飯時及び保温時に熱がこもる。この隙間内の熱が外部へ放出されると、炊飯効率またはその後の保温性能が低下する。そのため、内釜のフランジ部の下面と本体の内ケースの開口部の周縁部との間の隙間を、パッキンなどのシール構造で密閉して、隙間からの熱の漏れを抑制しているものが提案されている（例えば、特許文献１参照）。
【先行技術文献】
【特許文献】
【０００３】
【特許文献１】特許第４８２２９１５号公報（図５〜図７）
【発明の概要】
【発明が解決しようとする課題】
【０００４】
しかしながら、このように隙間を密閉することに主眼を置いているものにあっては、内釜を取り出すときに指を掛けるための隙間が小さく、近年の高付加価値内釜の重量化に伴って取り扱いにくいものとなっている。
【０００５】
さらに、このようなシール構造を持った炊飯器は、本体の左右の外郭とシール構造部との間の寸法が小さく、清掃時に指が入り難く、掃除がし辛い。
【０００６】
本発明は、前記のような課題を解決するためになされたもので、炊飯時、保温時の熱ロスを小さくできて消費エネルギーを抑制でき、かつ内釜の取り出しが容易で、清掃がし易い炊飯器を提供することを目的とする。
【課題を解決するための手段】
【０００７】
本発明に係る炊飯器は、上部に開口部を有する内ケースを備えた本体と、内ケースの開口部の周縁部に載置されるフランジを有し内ケースに出し入れ自在に収納される内釜と、内ケースの開口部の周縁部に装着されて内釜のフランジの下面をシールするシールユニットとを備え、シールユニットは、内釜のフランジの下面に当接する熱絶縁性を有するリング状の弾性部材と、弾性部材を固定する保持リングとを備え、保持リングには、リング中心を挟む対称となる位置に、それぞれ外周面から径方向内方へ凹陥する少なくとも一対の切欠きが設けられているものである。
【発明の効果】
【０００８】
本発明の炊飯器によれば、内釜のフランジ下面をシールする部品をシールユニットとして構成し、このシールユニットは、内釜のフランジの下面に当接する熱絶縁性を有するリング状の弾性部材と、弾性部材を固定する保持リングとを備え、保持リングには、リング中心を挟む対称となる位置に、それぞれ外周面から径方向内方へ凹陥する少なくとも一対の切欠きが設けられているので、炊飯時、保温時の熱ロスを小さくできて消費エネルギーを抑制できるとともに、切欠きの部分で結果的に内釜のフランジが外側に突出する形となり、内釜が持ち易くなって、内釜の出し入れが容易となる。さらに、切欠きによって、本体の外郭の大きさを変えずに、本体の外郭とシール構造部との間の寸法を大きくとれるので、掃除が容易となる。
【図面の簡単な説明】
【０００９】
【図１】本発明の実施形態１に係る炊飯器の全体構成を示す正面視の断面図である。
【図２】図１のＡ部の拡大断面図である。
【図３】本発明の実施形態１に係る炊飯器の全体構成を示す側面視の断面図である。
【図４】図３のＢ部の拡大断面図である。
【図５】本発明の実施形態１に係る炊飯器の外観を示す斜視図である。
【図６】本発明の実施形態１に係る炊飯器を蓋体を開けた状態で示す斜視図である。
【図７】本発明の実施形態１に係る炊飯器を内釜と蓋体を取り外した状態で示す平面図である。
【図８】本発明の実施形態１に係る炊飯器のシールユニットの分解斜視図である。
【図９】本発明の実施形態１に係る炊飯器の第一の保持リング（上リング）と第二の保持リング（下リング）との係合部を示す縦断面図である。
【図１０】本発明の実施形態１に係る炊飯器の第二の保持リング（下リング）と内ケースとの係合部を示す縦断面図である。
【図１１】本発明の実施形態２に係る炊飯器の第二の保持リング（下リング）に設けた第一の保持リング（上リング）のバックアップ部を示す縦断面図である。
【発明を実施するための形態】
【００１０】
以下、本発明の実施形態に係る炊飯器を説明する。なお、以下に示す図面の形態によって本発明が限定されるものではない。
なお、以下の説明において、理解を容易にするために位置を表す用語（例えば「上」、「下」、「前」、「後」など）を適宜用いるが、これは説明のためのものであって、これらの用語は本願発明を限定するものではない。
【００１１】
実施形態１．
図１は本発明の実施形態１に係る炊飯器の全体構成を示す正面視の断面図である。図２は図１のＡ部の拡大断面図である。図３は本発明の実施形態１に係る炊飯器の全体構成を示す側面視の断面図である。図４は図３のＢ部の拡大断面図である。図５は本発明の実施形態１に係る炊飯器の外観を示す斜視図である。図６は本発明の実施形態１に係る炊飯器を蓋体を開けた状態で示す斜視図である。図７は本発明の実施形態１に係る炊飯器を内釜と蓋体を取り外した状態で示す平面図である。
本発明の実施形態１に係る炊飯器１００は、図１、図３、図５及び図６に示すように、本体１と、本体１にヒンジ機構部２を介して取り付けられた蓋体５とを備えている。蓋体５は、ラッチ３と解除ボタン４とによって開閉される。また、炊飯器１００は、本体１内に、上部に開口部６ａを有し、底部にコイル台が固定された樹脂製の内ケース６を備えており、内ケース６には、内釜７が出し入れ自在に収容される。コイル台の底部外周には、内釜７を電磁誘導加熱する加熱コイル８が配置されている。また、コイル台には、その底部中央に、貫通穴が形成され、この貫通穴に、内釜７の下面に接触して内釜７の温度を検出する温度センサー９が出没自在に設置されている。加熱コイル８は、電源基板１１に実装された駆動部によって高周波電力が供給され内釜７を電磁誘導加熱する。すなわち、駆動部は、商用交流電源からの交流電圧を、図示しない整流部で一旦直流に変換し、その後、スイッチング素子のスイッチングによって高周波に変換し、この高周波電流を加熱コイル８に供給する。
【００１２】
本体１の前部には、冷却水を貯留したタンク１０が着脱自在に設置されている。また、蓋体５には、図６に示すように、内釜７とタンク１０との間に介在して調理中に内釜７内の被加熱物から発生する蒸気をタンク１０内に導いて冷却水中に放散させ復水させる蒸気導管１３が設けられている。
【００１３】
内釜７は、その上端にフランジ７ａが形成され、このフランジ７ａが内ケース６への収納時に、内ケース６の開口部６ａの周縁部に載置されて支持される。また、内釜７は、内ケース６の開口部６ａの周縁部に載置される際、この開口部６ａの周縁部に配置されたシールユニット２０によって、フランジ７ａの下面がシールされる。
【００１４】
シールユニット２０は、図２及び図４に示すように、内釜７のフランジ７ａの下面に全周に亘って密着する熱絶縁性を有するシリコンゴム製のリング状の弾性部材２１と、弾性部材２１を上下から挟み固定する第一の保持リング（以下、「上リング」という）２２及び第二の保持リング（以下、「下リング」という）２３とを備えている。上リング２２と下リング２３とは、いずれも同一の耐熱樹脂材料（例えばナイロン樹脂）で構成されている。
【００１５】
弾性部材２１は、内釜７のフランジ７ａの下面に当接するリング状の基部２１ａと、リング状の基部２１ａから全周に亘って外向きに張り出す張出部２１ｂとを有する。弾性部材２１の内側には下リング２３が配置され、弾性部材２１の外側には、上リング２２が配置されている。上リング２２と下リング２３とは、弾性部材２１の張出部２１ｂを上下から挟み固定している。
【００１６】
また、下リング２３における弾性部材２１の張出部２１ｂと対向する部位には、弾性部材位置決め用の環状の突条２３ｃが設けられている。一方、弾性部材２１における下リング２３の環状の突条２３ｃと対向する張出部２１ｂには、環状の突条２３ｃが嵌入できる環状の溝２１ｃが設けられている。つまり、弾性部材２１は、環状の溝２１ｃの底部が上リング２２と環状の突条２３ｃとの間に挟まれて固定される。
【００１７】
このように、シールユニット２０は、フランジ７ａの下面を全周に亘ってシールすることで、内ケース６の内周面と内釜７の外周面との間の隙間ｇを閉塞する。つまり、炊飯時及び保温時には、隙間ｇが蓄熱空間として構成される。さらに、内釜７は、蓋体５の閉時に、蓋体５側に設けたパッキン１２がフランジ７ａの上面及び内面に押圧されることによって密閉される。これによって、炊飯効率またはその後の保温性能が向上する。
【００１８】
シールユニット２０について、図８〜図１０に基づき図１〜図７を参照しながら更に詳述する。図８は本発明の実施形態１に係る炊飯器のシールユニットの分解斜視図である。図９は本発明の実施形態１に係る炊飯器の第一の保持リング（上リング）と第二の保持リング（下リング）との係合部を示す縦断面図である。図１０は本発明の実施形態１に係る炊飯器の第二の保持リング（下リング）と内ケースとの係合部を示す縦断面図である。
シールユニット２０は、図９のように上リング２２の複数個所に設けた爪２２ａが、下リング２３の複数個所に設けた孔２３ａのエッジとそれぞれ係合することで、互いに固定（仮固定）される。そして、このように弾性部材２１と上リング２２と下リング２３とが組み付けられたシールユニット２０は、図１０のように下リング２３の複数個所に設けた爪２３ｉが、内ケース６に設けた孔６ｂの一側から垂下する係合用片６ｃの下端と係合することで、内ケース６すなわち本体１側に固定（仮固定）される。
【００１９】
また、シールユニット２０には、図２、図６及び図７のようにリング中心を挟む対称となる位置に、それぞれ外周面から径方向内方へ凹陥する少なくとも一対の切欠き４１，４２が設けられている。切欠き４１，４２は、ここではシールユニット２０のリング中心を通りヒンジ機構部２の軸線と平行となる仮想線上、つまり、内ケース６の開口部６ａの周縁部の左右両側に、対称となるように配置されている。そして、これら切欠き４１，４２の部分で結果的に内釜７のフランジ７ａが外側に突出する形となり、その部分が図６のようにフランジ把持空間として形成されるようにしている。さらにこの左右両側の位置は、内釜７のフランジ７ａが両手で持ち易い位置であるため、内釜７の出し入れが容易となる。
また、切欠き４１，４２によって、本体１の左右の外郭とシールユニット２０との間の寸法Ａを、本体１の外郭の大きさを変えずに、少なくとも指が入る寸法である１５ｍｍ以上とすることができ、掃除が容易となる。
【００２０】
一方、上リング２２の切欠き形成部２２ｂは、径方向幅が狭くなっていて、他部位と比較して強度が弱く、変形し易いところである。そのため、上リング２２の切欠き形成部２２ｂの外周側には、図７及び図８のように下リング２３から補強用のリブ２３ｆを突出させて設けている。
【００２１】
また、シールユニット２０は、図７及び図８に示すように上リング２２と下リング２３のヒンジ機構部２と正対する部位の外周面が、それぞれ径方向内方に突状に湾曲する湾曲面２２ｅ，２３ｊとして形成されている。そして、これら湾曲面２２ｅ，２３ｊによって、本体１の奥部にある蓋体５のヒンジ機構部２とシールユニット２０におけるヒンジ機構部２に正対した部位との間の寸法Ｂを、本体１の外郭の大きさを変えずに、少なくとも指が入る寸法である１５ｍｍ以上とすることができ、掃除が容易となる。
【００２２】
また、下リング２３の内周壁２３ｂの内面の周方向複数個所に、図８に示すように、内釜心出し用の突部２３ｅを設け、内釜７の心出しができるようにしている。
【００２３】
また、上リング２２には、図７及び図８に示すように、手前側と奥側の左右に、それぞれ外向きに張り出すダボ形成部２２ｄが設けられ、各ダボ形成部２２ｄに下方へ突出するダボ２２ｃが形成され、各ダボ２２ｃにねじ挿通孔が設けられている。また、下リング２３には、上リング２２のダボ形成部２２ｄに対応する位置に、それぞれダボ穴形成部２３ｈが設けられ、そこに上リング２２のダボ２２ｃが嵌入できるダボ穴２３ｇが設けられている。また、内ケース６の開口部６ａの周縁部には、下リング２３の各ダボ穴２３ｇに対応する位置に、それぞれねじ穴（図示せず）が形成されている。すなわち、シールユニット２０は、上リング２２と下リング２３との間に弾性部材２１が挟みこまれ、各ダボ２２ｃと各ダボ穴２３ｇによって互いに位置決めされ、図９のように上リング２２の爪２２ａによって互いに組み付けられ、仮固定される。そして、このように各部品が組み付けられて仮固定されたシールユニット２０は、図１０に示すように、下リング２３の爪２３ｉによって内ケース６に仮固定される。そして、内ケース６に仮固定されたシールユニット２０は、各ダボ２２ｃと各ダボ穴２３ｇに挿通して内ケース６の各ねじ穴に螺合する複数のねじ３０によって本体１側に本締めされ、固定される。
【００２４】
次に、本発明の実施形態１に係る炊飯器１００の動作を図１〜図１０に基づき説明する。
使用者によって操作部からの設定に基づく炊飯指示等の加熱開始の指示がなされると、制御部は、駆動部の制御を開始する。駆動部は、商用交流電源からの交流電圧を、整流部で一旦直流に変換し、その後、スイッチング素子のスイッチングによって高周波に変換し、この高周波電流が加熱コイル８に供給される。加熱コイル８に高周波電流が流れると、加熱コイル８からは交番磁界が発生し、これによって内釜７に磁束が与えられる。これによって内釜７には渦電流が発生し、この渦電流と内釜７の電気抵抗によってジュール熱が発生し、内釜７が加熱され、炊飯が行われる。
【００２５】
炊飯動作中は、パッキン１２でシールされた内釜７の内側と、弾性部材２１でシールされた内釜７の外側、つまり内ケース６の内周面と内釜７の外周面との間の隙間ｇも相当の高温となる。
【００２６】
本発明の実施形態１に係る炊飯器１００は、内ケース６の開口部６ａの周縁部に、内釜７のフランジ７ａの下面に全周に亘って密着してシールする弾性部材２１を設けているので、炊飯時及び保温時に内釜７と内ケース６との間の隙間ｇから外部への放熱を阻止できる。このため、炊飯器１００が炊飯時及び保温時に消費するエネルギーを減少させることができる。
【００２７】
また、弾性部材２１が、これを保持する上リング２２及び下リング２３と共にシールユニット２０として構成されているので、弾性部材２１の組立性がよく、かつ本体組立ライン以外でのサブ組立もでき、本体組立ラインの簡素化が図れる。
【００２８】
また、弾性部材２１には、内釜７のフランジ７ａの下面に当接するリング状の基部２１ａと、リング状の基部２１ａから全周に亘って外向きに張り出す張出部２１ｂとを設け、張出部２１ｂが上リング２２と下リング２３とで上下から挟まれて固定されているので、弾性部材２１の浮き上がりが防止される。
【００２９】
また、下リング２３における弾性部材２１の張出部２１ｂと対向する部位には、弾性部材位置決め用の環状の突条２３ｃを設け、弾性部材２１の張出部２１ｂには、環状の突条２３ｃが嵌入できる環状の溝２１ｃを設けているので、製造時の組立作業が容易となる。
【００３０】
また、弾性部材２１は、環状の溝２１ｃの底部が下リング２３の環状の突条２３ｃと上リング２２との間に挟まれて固定されるので、上リング２２と下リング２３は、小さな押付力（保持力）で弾性部材２１を保持することができる。
【００３１】
また、上リング２２と下リング２３は、いずれも同一の耐熱樹脂材料で構成されているので、炊飯中の熱に伴う膨張または炊き上がり後の収縮が同一となり、熱に伴う変形が抑制される。
【００３２】
また、上リング２２の切欠き形成部２２ｂの外周側に、下リング２３からリブ２３ｆを突出させて設けているので、上リング２２の取付時の変形（広がり）を防止できる。
【００３３】
また、下リング２３の内周壁２３ｂの内面の周方向複数個所に、内釜心出し用の突部２３ｅを設け、内釜７の心出しをできるようにしているので、内釜７の外周面と内ケース６の内周面との間の空間（隙間ｇ）が均一になり温度ムラが無くなる。さらに、蓋体５側のパッキン１２との心出しもできる。
【００３４】
実施形態２．
図１１は本発明の実施形態２に係る炊飯器の第二の保持リング（下リング）に設けた第一の保持リング（上リング）のバックアップ部を示す縦断面図である。図中、前述の実施形態１のものに相当する部分には同一符号を付してある。なお、炊飯器１００の本体１、蓋体５、蒸気導管１３、及びタンク１０は、前述の実施形態１のものと同一構成となっているため説明を省略する。
【００３５】
本発明の実施形態２に係る炊飯器は、図１１に示すように、シールユニット２０Ａの下リング２３Ａの高さを変えて、薄肉の内釜７Ａすなわち薄肉のフランジ７ａに対応させたものである。下リング２３Ａは、その内ケース６への載置部から弾性部材２１を挟持する部位までの高さ寸法が、前述の実施形態１の下リング２３よりも大きくなっている。一方、弾性部材２１と上リング２２とは、前述の実施形態１のものと同じである。
【００３６】
したがって、本発明の実施形態２に係る炊飯器においては、内釜７Ａのフランジ７ａを載置する高さ位置、換言すれば弾性部材２１と上リング２２を載置する高さ位置が高くなっている。それ以外の下リング２３Ａの構成、つまりシールユニット２０Ａの構成は前述の実施形態１のものと同一である。
【００３７】
このように、本発明の実施形態２に係る炊飯器は、シールユニット２０Ａの下リング２３Ａの高さを変えるだけで、内釜７Ａの厚さの違いに対応させることができる。なお、高さの異なる下リング２３Ａは、予め複数種用意され、製品に付けられて出荷され、使用者によって選択的に使用されるものである。また、高さの異なる下リング２３Ａは、製造段階で使用されてもよいものである。この場合、シールユニット２０Ａの下リング２３Ａ以外の部品の共通化が図れる。
【００３８】
本発明の実施形態２に係る炊飯器は、前述の実施形態１が持つ機能を全て備えている。すなわち、シールユニット２０Ａには、前述の実施形態１と同様に、リング中心を挟む対称となる位置に、それぞれ外周面から径方向内方へ凹陥する少なくとも一対の切欠き４１，４２（図６及び図７参照）が設けられている。そのため、これら切欠き４１，４２の部分で結果的に内釜７Ａのフランジ７ａが外側に突出する形となり、その部分がフランジ把持空間として形成され、内釜７Ａの取り出しが容易となっている。さらに、切欠き４１，４２によって、本体１の左右の外郭とシールユニット２０Ａとの間の寸法Ａを、本体１の外郭の大きさを変えずに、少なくとも指が入る寸法である１５ｍｍとすることができ、掃除が容易となる。また、シールユニット２０Ａによって内釜７Ａのフランジ７ａの下面を密閉できるため、炊飯時、保温時の熱ロスを小さくでき、消費エネルギーを抑制できる。
【００３９】
また、上リング２２の切欠き形成部２２ｂの外周側には、下リング２３Ａから補強用のリブ２３ｆを突出させて設けているので、上リング２２の取付時の変形（広がり）を防止できる。
【００４０】
また、弾性部材２１が、これを保持する上リング２２及び下リング２３Ａと共にシールユニット２０Ａとして構成されているので、弾性部材２１の組立性がよく、かつ本体組立ライン以外でのサブ組立もでき、本体組立ラインの簡素化が図れる。
【００４１】
なお、高さの異なる下リング２３Ａ相互の色、又は高さの異なる下リング２３Ａを有するシールユニット２０Ａ相互の色を、異ならせてもよい。これによって、間違えて組み立てられるのを防止できる。
【符号の説明】
【００４２】
１  本体、２  ヒンジ機構部、３  ラッチ、４  解除ボタン、５  蓋体、６  内ケース、６ａ  開口部、６ｂ  孔、６ｃ  係合用片、７，７Ａ  内釜、７ａ  フランジ、８  加熱コイル、９  温度センサー、１０  タンク、１１  電源基板、１２  パッキン、１３  蒸気導管、２０，２０Ａ  シールユニット、２１  弾性部材、２１ａ  リング状の基部、２１ｂ  張出部、２１ｃ  環状の溝、２２  第一の保持リング（上リング）、２２ａ，２３ｉ  爪、２２ｂ  上リングの切欠き形成部、２２ｃ  ダボ、２２ｄ  ダボ形成部、２２ｅ，２３ｊ  湾曲面、２３，２３Ａ  第二の保持リング（下リング）、２３ａ  孔、２３ｂ  内周壁、２３ｃ  環状の突条、２３ｅ  突部、２３ｆ  リブ、２３ｇ  ダボ穴、２３ｈ  ダボ穴形成部、３０  ねじ、４１，４２  切欠き、１００  炊飯器、ｇ  隙間。
【図１】
2015008826.tif 000003
【図２】
2015008826.tif 000004
【図３】
2015008826.tif 000005
【図４】
2015008826.tif 000006
【図５】
2015008826.tif 000007
【図６】
2015008826.tif 000008
【図７】
2015008826.tif 000009
【図８】
2015008826.tif 000010
【図９】
2015008826.tif 000011
【図１０】
2015008826.tif 000012
【図１１】
2015008826.tif 000013